(57)【特許請求の範囲】
【請求項１】
予め設定された複数の部品分類の中から、新しく登録を行う部品に合致する部品分類の選択を受け付ける第１の受付手段と、
選択された部品分類に対して設定されている属性情報および部品品番を含む部品情報の入力を受け付ける第２の受付手段と、
前記第２の受付手段により属性情報および部品品番が入力された部品情報を格納する部品情報データベースと、
前記部品情報データベースに格納されている部品情報の中から、指定された条件に合致する部品情報を検索する検索手段と、
前記検索手段により検索された部品情報のリストを出力する出力手段とを有し、
前記部品分類は、設計的視点による分類である機能分類と、調達・製造的視点による分類である工法・材料・形状分類の２つの分類の組み合わせにより２次元的に設定された複合部品分類であり、
前記属性情報には、選択された複合部品分類に対して設定され各複合部品分類毎に異なる複数の属性情報と、複合部品分類に関係なくどの部品に対しても共通に設定されている共通属性情報が存在する
部品管理システム。
【請求項２】
新しく登録を行う部品の図面画像中の位置を指定する位置指定手段と、
前記図面画像の中から、前記位置指定手段により指定された位置を含む文字列画像を抽出する抽出手段と、
前記抽出手段により抽出された文字列画像をテキスト情報に変換する変換手段とをさらに有し、
前記第２の受付手段は、前記変換手段により変換されたテキスト情報を前記属性情報および部品品番として入力する請求項１記載の部品管理システム。
【請求項３】
予め設定された複数の部品分類の中から、新しく登録を行う部品に合致する部品分類の選択を受け付ける第１の受付手段と、
選択された部品分類に対して設定されている属性情報および部品品番を含む部品情報の入力を受け付ける第２の受付手段と、
前記第２の受付手段により属性情報および部品品番が入力された部品情報を格納する部品情報データベースと、
前記部品情報データベースに格納されている部品情報の中から、指定された条件に合致する部品情報を検索する検索手段と、
前記検索手段により検索された部品情報のリストを出力する出力手段と、
新しく登録を行う部品の図面画像中の位置を指定する位置指定手段と、
前記図面画像の中から、前記位置指定手段により指定された位置を含む文字列画像を抽出する抽出手段と、
前記抽出手段により抽出された文字列画像を複数の異なる変換方法により複数のテキスト情報に変換する変換手段とを有し、
前記第２の受付手段は、前記変換手段により変換された複数のテキスト情報の中から、使用者により選択されたテキスト情報を前記属性情報および部品品番として入力する部品管理システム。
【請求項４】
前記第２の受付手段は、使用者によって前記複数のテキスト情報の中から入力すべきテキスト情報が選択されない場合、予め設定された変換方法により変換されたテキスト情報を前記属性情報および部品品番として入力する請求項３記載の部品管理システム。
【請求項５】
選択された部品分類に対して設定されている属性情報に対して、新たな属性項目を追加する追加手段をさらに有し、
前記第２の受付手段は、選択された部品分類に対して設定されている属性情報に前記追加手段により追加された属性項目を含めて、部品情報の入力を受け付ける請求項１から４のいずれか１項記載の部品管理システム。
【請求項６】
予め設定された複数の部品分類の中から、新しく登録を行う部品に合致する部品分類の選択を受け付ける受付手段と、
選択された部品分類に予め設定されている複数の属性項目のそれぞれに対応する属性情報の入力を、順に受け付け可能な状態とする入力手段と、
前記入力手段により入力された属性情報を格納する部品情報データベースと、
新しく登録を行う部品に関する図面画像中の位置を指定する位置指定手段と、
前記図面画像の中から、前記位置指定手段により指定された位置を含む文字列画像を抽出する抽出手段と、
前記抽出手段により抽出された文字列画像をテキスト情報に変換する変換手段とを有し、
前記入力手段は、前記変換手段により変換されたテキスト情報を、前記属性情報として入力し、当該入力後に、前記属性情報とは異なる他の属性情報の入力を受け付け可能な状態とする部品管理システム。
【請求項７】
予め設定された複数の部品分類の中から、新しく登録を行う部品に合致する部品分類の選択を受け付ける第１の受付ステップと、
選択された部品分類に対して設定されている属性情報および部品品番を含む部品情報の入力を受け付ける第２の受付ステップと、
前記第２の受付ステップにおいて属性情報および部品品番が入力された部品情報を部品情報データベースに格納するステップと、
前記部品情報データベースに格納されている部品情報の中から、指定された条件に合致する部品情報を検索する検索ステップと、
前記検索ステップにおいて検索された部品情報のリストを出力する出力ステップとをコンピュータに実行させるためのプログラムであって、
前記部品分類は、設計的視点による分類である機能分類と、調達・製造的視点による分類である工法・材料・形状分類の２つの分類の組み合わせにより２次元的に設定された複合部品分類であり、
前記属性情報には、選択された複合部品分類に対して設定され各複合部品分類毎に異なる複数の属性情報と、複合部品分類に関係なくどの部品に対しても共通に設定されている共通属性情報が存在する
プログラム。
【請求項８】
予め設定された複数の部品分類の中から、新しく登録を行う部品に合致する部品分類の選択を受け付ける第１の受付ステップと、
選択された部品分類に対して設定されている属性情報および部品品番を含む部品情報の入力を受け付ける第２の受付ステップと、
前記第２の受付ステップにおいて属性情報および部品品番が入力された部品情報を部品情報データベースに格納するステップと、
前記部品情報データベースに格納されている部品情報の中から、指定された条件に合致する部品情報を検索する検索ステップと、
前記検索ステップにおいて検索された部品情報のリストを出力する出力ステップと、
新しく登録を行う部品の図面画像中の位置を指定する位置指定ステップと、
前記図面画像の中から、前記位置指定ステップにおいて指定された位置を含む文字列画像を抽出する抽出ステップと、
前記抽出ステップにおいて抽出された文字列画像を複数の異なる変換方法により複数のテキスト情報に変換する変換ステップとをコンピュータに実行させる際に、
前記第２の受付ステップでは、前記変換ステップにおいて変換された複数のテキスト情報の中から、使用者により選択されたテキスト情報を前記属性情報および部品品番として入力するプログラム。
【請求項９】
予め設定された複数の部品分類の中から、新しく登録を行う部品に合致する部品分類の選択を受け付ける受付ステップと、
選択された部品分類に予め設定されている複数の属性項目のそれぞれに対応する属性情報の入力を、順に受け付け可能な状態とする入力ステップと、
前記入力ステップにおいて入力された属性情報を部品情報データベースに格納する格納ステップと、
新しく登録を行う部品に関する図面画像中の位置を指定する位置指定ステップと、
前記図面画像の中から、前記位置指定ステップにおいて指定された位置を含む文字列画像を抽出する抽出ステップと、
前記抽出ステップにおいて抽出された文字列画像をテキスト情報に変換する変換ステップとをコンピュータに実行させる際に、
前記入力ステップでは、前記変換ステップにおいて変換されたテキスト情報を、前記属性情報として入力し、当該入力後に、前記属性情報とは異なる他の属性情報の入力を受け付け可能な状態とするプログラム。
【発明の詳細な説明】
【技術分野】
【０００１】
本発明は、部品管理システムおよびプログラムに関する。
【背景技術】
【０００２】
特許文献１には、部品に関連する複数の項目により構成される部品情報と、各項目毎の当該項目内の情報の有無の割合を示すデータ充足度を記憶しておき、検索画面取得要請の際にデータ充足度に基づいて検索画面を生成して検索端末に送信するようにした検索支援装置が開示されている。
【０００３】
特許文献２には、図面情報の特定の領域から文字列を読み取ってその図面の図面名称を取得して、取得した文字列からその図面の種類を判定して、図面の情報を管理する階層構造を自動的に構築するようにした階層構造構築装置が開示されている。
【先行技術文献】
【特許文献】
【０００４】
【特許文献１】特開２００７−０７２６４５号公報
【特許文献２】特開２０１５−００７９５５号公報
【発明の概要】
【発明が解決しようとする課題】
【０００５】
様々な種類の部品情報を登録しておき、必要な時には欲しい部品情報の条件を設定して検索することにより条件に合致した部品リストを得られるような部品情報データベースが用いられている。
【０００６】
このような部品情報データベースでは、様々な条件で部品情報を検索できるようにするためには、各部品毎に様々な属性情報を登録する必要がある。
【０００７】
また、このような各部品の属性情報を図面データに基づいて登録しようとした場合、どのような種類の部品についてどのような属性を登録すべきかを把握することが必要であるため、部品の種類と図面の記載内容を理解できる経験者でないと登録作業ができない。
【０００８】
本発明の目的は、部品に対する知識が少ない者であっても、部品の種類に応じた登録すべき属性情報を把握することが可能な部品管理システムおよびプログラムを提供することである。
【課題を解決するための手段】
【０００９】
［部品管理システム］
請求項１に係る本発明は、予め設定された複数の部品分類の中から、新しく登録を行う部品に合致する部品分類の選択を受け付ける第１の受付手段と、
選択された部品分類に対して設定されている属性情報および部品品番を含む部品情報の入力を受け付ける第２の受付手段と、
前記第２の受付手段により属性情報および部品品番が入力された部品情報を格納する部品情報データベースと、
前記部品情報データベースに格納されている部品情報の中から、指定された条件に合致する部品情報を検索する検索手段と、
前記検索手段により検索された部品情報のリストを出力する出力手段とを有し、
前記部品分類は、設計的視点による分類である機能分類と、調達・製造的視点による分類である工法・材料・形状分類の２つの分類の組み合わせにより２次元的に設定された複合部品分類であり、
前記属性情報には、選択された複合部品分類に対して設定され各複合部品分類毎に異なる複数の属性情報と、複合部品分類に関係なくどの部品に対しても共通に設定されている共通属性情報が存在する
部品管理システムである。
【００１０】
請求項２に係る本発明は、新しく登録を行う部品の図面画像中の位置を指定する位置指定手段と、
前記図面画像の中から、前記位置指定手段により指定された位置を含む文字列画像を抽出する抽出手段と、
前記抽出手段により抽出された文字列画像をテキスト情報に変換する変換手段とをさらに有し、
前記第２の受付手段は、前記変換手段により変換されたテキスト情報を前記属性情報および部品品番として入力する請求項１記載の部品管理システムである。
【００１２】
請求項３に係る本発明は、予め設定された複数の部品分類の中から、新しく登録を行う部品に合致する部品分類の選択を受け付ける第１の受付手段と、
選択された部品分類に対して設定されている属性情報および部品品番を含む部品情報の入力を受け付ける第２の受付手段と、
前記第２の受付手段により属性情報および部品品番が入力された部品情報を格納する部品情報データベースと、
前記部品情報データベースに格納されている部品情報の中から、指定された条件に合致する部品情報を検索する検索手段と、
前記検索手段により検索された部品情報のリストを出力する出力手段と、
新しく登録を行う部品の図面画像中の位置を指定する位置指定手段と、
前記図面画像の中から、前記位置指定手段により指定された位置を含む文字列画像を抽出する抽出手段と、
前記抽出手段により抽出された文字列画像を複数の異なる変換方法により複数のテキスト情報に変換する変換手段とを有し、
前記第２の受付手段は、前記変換手段により変換された複数のテキスト情報の中から、使用者により選択されたテキスト情報を前記属性情報および部品品番として入力する部品管理システムである。
【００１３】
請求項４に係る本発明では、前記第２の受付手段は、使用者によって前記複数のテキスト情報の中から入力すべきテキスト情報が選択されない場合、予め設定された変換方法により変換されたテキスト情報を前記属性情報および部品品番として入力する請求項４記載の部品管理システムである。
【００１４】
請求項５に係る本発明は、選択された部品分類に対して設定されている属性情報に対して、新たな属性項目を追加する追加手段をさらに有し、
前記第２の受付手段は、選択された部品分類に対して設定されている属性情報に前記追加手段により追加された属性項目を含めて、部品情報の入力を受け付ける請求項１から４のいずれか１項記載の部品管理システムである。
【００１５】
請求項６に係る本発明は、予め設定された複数の部品分類の中から、新しく登録を行う部品に合致する部品分類の選択を受け付ける受付手段と、
選択された部品分類に予め設定されている複数の属性項目のそれぞれに対応する属性情報の入力を、順に受け付け可能な状態とする入力手段と、
前記入力手段により入力された属性情報を格納する部品情報データベースと、
新しく登録を行う部品に関する図面画像中の位置を指定する位置指定手段と、
前記図面画像の中から、前記位置指定手段により指定された位置を含む文字列画像を抽出する抽出手段と、
前記抽出手段により抽出された文字列画像をテキスト情報に変換する変換手段とを有し、
前記入力手段は、前記変換手段により変換されたテキスト情報を、前記属性情報として入力し、当該入力後に、前記属性情報とは異なる他の属性情報の入力を受け付け可能な状態とする部品管理システムである。
【００１６】
［プログラム］
請求項７に係る本発明は、予め設定された複数の部品分類の中から、新しく登録を行う部品に合致する部品分類の選択を受け付ける第１の受付ステップと、
選択された部品分類に対して設定されている属性情報および部品品番を含む部品情報の入力を受け付ける第２の受付ステップと、
前記第２の受付ステップにおいて属性情報および部品品番が入力された部品情報を部品情報データベースに格納するステップと、
前記部品情報データベースに格納されている部品情報の中から、指定された条件に合致する部品情報を検索する検索ステップと、
前記検索ステップにおいて検索された部品情報のリストを出力する出力ステップとをコンピュータに実行させるためのプログラムであって、
前記部品分類は、設計的視点による分類である機能分類と、調達・製造的視点による分類である工法・材料・形状分類の２つの分類の組み合わせにより２次元的に設定された複合部品分類であり、
前記属性情報には、選択された複合部品分類に対して設定され各複合部品分類毎に異なる複数の属性情報と、複合部品分類に関係なくどの部品に対しても共通に設定されている共通属性情報が存在するプログラムである。
請求項８に係る本発明は、予め設定された複数の部品分類の中から、新しく登録を行う部品に合致する部品分類の選択を受け付ける第１の受付ステップと、
選択された部品分類に対して設定されている属性情報および部品品番を含む部品情報の入力を受け付ける第２の受付ステップと、
前記第２の受付ステップにおいて属性情報および部品品番が入力された部品情報を部品情報データベースに格納するステップと、
前記部品情報データベースに格納されている部品情報の中から、指定された条件に合致する部品情報を検索する検索ステップと、
前記検索ステップにおいて検索された部品情報のリストを出力する出力ステップと、
新しく登録を行う部品の図面画像中の位置を指定する位置指定ステップと、
前記図面画像の中から、前記位置指定ステップにおいて指定された位置を含む文字列画像を抽出する抽出ステップと、
前記抽出ステップにおいて抽出された文字列画像を複数の異なる変換方法により複数のテキスト情報に変換する変換ステップとをコンピュータに実行させる際に、
前記第２の受付ステップでは、前記変換ステップにおいて変換された複数のテキスト情報の中から、使用者により選択されたテキスト情報を前記属性情報および部品品番として入力するプログラムである。
請求項９に係る本発明は、予め設定された複数の部品分類の中から、新しく登録を行う部品に合致する部品分類の選択を受け付ける受付ステップと、
選択された部品分類に予め設定されている複数の属性項目のそれぞれに対応する属性情報の入力を、順に受け付け可能な状態とする入力ステップと、
前記入力ステップにおいて入力された属性情報を部品情報データベースに格納する格納ステップと、
新しく登録を行う部品に関する図面画像中の位置を指定する位置指定ステップと、
前記図面画像の中から、前記位置指定ステップにおいて指定された位置を含む文字列画像を抽出する抽出ステップと、
前記抽出ステップにおいて抽出された文字列画像をテキスト情報に変換する変換ステップとをコンピュータに実行させる際に、
前記入力ステップでは、前記変換ステップにおいて変換されたテキスト情報を、前記属性情報として入力し、当該入力後に、前記属性情報とは異なる他の属性情報の入力を受け付け可能な状態とするプログラムである。
【発明の効果】
【００１７】
請求項１に係る本発明によれば、部品に対する知識が少ない者であっても、部品の種類に応じた登録すべき属性情報を把握することが可能な部品管理システムを提供することができる。
また、請求項１に係る本発明によれば、開発設計部門と調達・製造部門（環境管理部門・品質部門・原価管理部門等）とで共通に使用することができ、かつ各部品毎に登録する必要がある属性情報の属性項目の数を、全ての部品について同じ属性情報を設定する場合と比較して削減することが可能な部品管理システムを提供することができる。
【００１８】
請求項２に係る本発明によれば、文字列の範囲を指定して図面画像から文字列を選択する場合と比較して、部品の図面画像から部品データベースに属性情報として登録しようとする文字列を簡単な操作により選択することが可能な部品管理システムを提供することができる。
【００２０】
請求項３に係る本発明によれば、文字列画像をテキスト情報に変換する際の精度を、１つの変換方法によってのみ変換を行う場合と比較して、高くすることが可能な部品管理システムを提供することができる。
【００２１】
請求項４に係る本発明によれば、使用者が複数のテキスト情報から属性情報として登録すべきテキスト情報を選択しない場合でも、属性情報として登録するテキスト情報を決定することができるという効果を得ることができる。
【００２２】
請求項５に係る本発明によれば、選択した部品分類に設定されていない属性情報を部品情報として部品データベースに登録することが可能な部品管理システムを提供することができる。
【００２３】
請求項６に係る本発明によれば、文字列の範囲を指定して図面画像から文字列を選択する場合と比較して、部品の図面画像から部品データベースに属性情報として登録しようとする文字列を簡単な操作により選択することが可能な部品管理システムを提供することができる。
【００２４】
請求項７に係る本発明によれば、部品に対する知識が少ない者であっても、部品の種類に応じた登録すべき属性情報を把握することが可能なプログラムを提供することができる。
また、請求項７に係る本発明によれば、開発設計部門と調達・製造部門（環境管理部門・品質部門・原価管理部門等）とで共通に使用することができ、かつ各部品毎に登録する必要がある属性情報の属性項目の数を、全ての部品について同じ属性情報を設定する場合と比較して削減することが可能なプログラムを提供することができる。
請求項８に係る本発明によれば、文字列画像をテキスト情報に変換する際の精度を、１つの変換方法によってのみ変換を行う場合と比較して、高くすることが可能なプログラムを提供することができる。
請求項９に係る本発明によれば、文字列の範囲を指定して図面画像から文字列を選択する場合と比較して、部品の図面画像から部品データベースに属性情報として登録しようとする文字列を簡単な操作により選択することが可能なプログラムを提供することができる。
【図面の簡単な説明】
【００２５】
【図１】本発明の第１の実施形態の部品管理システム１０を含むシステム全体の構成を示す図である。
【図２】本発明の第１の実施形態の部品管理システム１０における管理サーバ３１のハードウェア構成を示す図である。
【図３】本発明の第１の実施形態の部品管理システム１０における管理サーバ３１の機能構成を示すブロック図である。
【図４】本発明の第１の実施形態の部品管理システム１０における端末装置２１〜２３のハードウェア構成を示す図である。
【図５】本発明の第１の実施形態の部品管理システム１０における端末装置２１〜２３の機能構成を示すブロック図である。
【図６】図面データベース３３に格納されている図面データの一例を示す図である。
【図７】図６に示した部品図面に基づいて部品情報の登録を行う際に、端末装置２１の表示部６３に表示される画面例を示す図である。
【図８】部品分類「モータ」が選択された場合に、表示される属性項目の一例を示す図である。
【図９】「モータ」という部品分類について設定されている属性項目の一例を示す図（図９（Ａ））および、「ベアリング」という部品分類について設定されている属性項目の一例を示す図（図９（Ｂ））である。
【図１０】図面画像中の「１２３Ａ４８００５」という文字列が選択された場合に、入力欄７１に「１２３Ａ４８００５」という文字が表示される様子を説明するための図である。
【図１１】入力欄７１の文字が「部品番号」の属性値として入力される様子を説明するための図である。
【図１２】部品図面画像中の文字列が選択される様子を詳細に説明するための図である。
【図１３】部品図面画像に対して移動、拡大、縮小等の操作を行って、部品図面画像から各属性項目に対して入力すべき文字列の選択、入力を繰り返す様子を説明するための図である。
【図１４】全ての属性項目に対して属性値が入力された状態を説明するための図である。
【図１５】数字優先、アルファベット優先（文字優先）という複数の変換方法による複数の変換結果を表示させた場合の様子を説明するための図である。
【図１６】入力欄７１に入力されたテキスト情報をユーザが手入力操作により修正する様子を説明するための図である。
【図１７】表示された属性項目に対してユーザが新たな属性項目を追加する様子を説明するための図である。
【図１８】製品を開発設計して販売する一般的な企業における各部門間の連携の様子の概略を示す図である。
【図１９】複合部品分類の具体例を説明するための図である。
【図２０】「成型カバー」という複合部品分類が選択された場合に表示される登録フレーム枠の一例を示す図である。
【図２１】図２０に示した登録フレーム枠に対して属性情報を順次入力した場合の様子の一例を示す図である。
【図２２】「板金カバー」という複合部品分類が選択された場合に表示される登録フレーム枠の一例を示す図である。
【図２３】「プレスギヤ」という複合部品分類が選択された場合に表示される登録フレーム枠の一例を示す図である。
【図２４】複合部品分類毎に異なる属性情報が登録された部品情報の一例を示す図である。
【図２５】複合部品分類毎に異なる属性項目を設定せずに、単に属性項目を増やした場合の比較例を示す図である。
【発明を実施するための形態】
【００２６】
次に、本発明の実施の形態について図面を参照して詳細に説明する。
【００２７】
[第１の実施形態]
図１は本発明の第１の実施形態の部品管理システム１０を含むシステム全体の構成を示す図である。
【００２８】
本発明の第１の実施形態の部品管理システム１０は、図１に示されるように、ネットワーク３０を介して端末装置２１〜２３と接続された構成となっている。ここで、端末装置２１〜２３は、それぞれ、開発設計部門、調達部門、製造部門に設置されている。なお、本実施形態では、説明を簡単にするために３台の端末装置２１〜２３のみが部品管理システム１０に接続されているものとして説明を行うが、実際には多数の端末装置を部品管理システム１０に接続することが可能である。
【００２９】
また、部品管理システム１０は、管理サーバ３１と、部品情報データベース３２と、図面データベース３３とから構成されている。
【００３０】
部品情報データベース３２は、様々な部品の部品品番や属性情報を含む部品情報が格納されている。図面データベース３３は、部品の図面画像が図面データとして格納されている。
【００３１】
端末装置２１〜２３は、管理サーバ３１にアクセスして、図面データベース３３に格納されている図面データを閲覧したり、部品情報データベース３２に格納されている部品情報を検索したりすることが可能となっている。
【００３２】
次に、本実施形態の部品管理システム１０における管理サーバ３１のハードウェア構成を図２に示す。
【００３３】
管理サーバ３１は、図２に示されるように、ＣＰＵ１１、メモリ１２、ハードディスクドライブ（ＨＤＤ）等の記憶装置１３、ユーザインタフェース（ＵＩ）装置１４、ネットワーク３０を介して部品情報データベース３２、図面データベース３３、端末装置２１〜２３等の外部装置との間でデータの送信及び受信を行う通信インタフェース（ＩＦ）１５を有する。これらの構成要素は、制御バス１６を介して互いに接続されている。
【００３４】
ＣＰＵ１１は、メモリ１２または記憶装置１３に格納された制御プログラムに基づいて所定の処理を実行して、管理サーバ３１の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３５】
図３は、上記の制御プログラムが実行されることにより実現される管理サーバ３１の機能構成を示すブロック図である。
【００３６】
本実施形態の管理サーバ３１は、図３に示されるように、情報送受信部４１と、部品検索部４２と、部品リスト出力部４３とを備えている。
【００３７】
情報送受信部４１は、予め設定された複数の部品分類の中から、新しく登録を行う部品に合致する部品分類の選択を受け付ける（第１の受付手段）。
【００３８】
そして、情報送受信部４１は、選択された部品分類に対して設定されている属性情報および部品品番を含む部品情報の入力を受け付ける（第２の受付手段）。
【００３９】
そして、部品情報データベース３２は、情報送受信部４１により属性情報および部品品番が入力された部品情報を格納する。
【００４０】
部品検索部４２は、部品情報データベース３２に格納されている部品情報の中から、情報送受信部４１を介して端末装置２１〜２３から指定された検索条件に合致する部品情報を検索する。
【００４１】
部品リスト出力部４３は、部品検索部４２により検索された部品情報のリストを、端末装置２１〜２３のうち検索を指示した端末装置に対して出力する。
【００４２】
次に、本実施形態の部品管理システム１０における端末装置２１〜２３のハードウェア構成を図４に示す。
【００４３】
端末装置２１〜２３は、それぞれ、図４に示されるように、ＣＰＵ５１、メモリ５２、ハードディスクドライブ（ＨＤＤ）等の記憶装置５３、ユーザインタフェース（ＵＩ）装置５４、ネットワーク３０を介して管理サーバ３１等の外部装置との間でデータの送信及び受信を行う通信インタフェース（ＩＦ）５５を有する。これらの構成要素は、制御バス５６を介して互いに接続されている。
【００４４】
ＣＰＵ５１は、メモリ５２または記憶装置５３に格納された制御プログラムに基づいて所定の処理を実行して、端末装置２１〜２３の動作を制御する。なお、本実施形態では、ＣＰＵ５１は、メモリ５２または記憶装置５３内に格納された制御プログラムを読み出して実行するものとして説明したが、当該プログラムをＣＤ−ＲＯＭ等の記憶媒体に格納してＣＰＵ５１に提供することも可能である。
【００４５】
図５は、上記の制御プログラムが実行されることにより実現される端末装置２１〜２３の機能構成を示すブロック図である。
【００４６】
本実施形態の端末装置２１〜２３は、それぞれ、図５に示されるように、通信部６１と、制御部６２と、表示部６３と、操作部６４とを備えている。
【００４７】
通信部６１は、ネットワーク３０を介して管理サーバ３１通信を確立して、図面データベース３３に格納されている部品の図面データを受信したり、部品情報データベース３２からの検索結果等の情報を管理サーバ３１から受信する。
【００４８】
制御部６２は、通信部６１を介して取得した図面データを図面画像として表示部６３に表示させたり、部品情報データベース３２を検索した検索結果情報等を表示部６３に表示させる。
【００４９】
操作部６４は、表示部６３に表示された新しく登録を行う部品の図面画像中の位置を指定する（位置指定手段）。例えば、操作部６４は、ユーザによるマウスの操作等により図面画像中に表示されたポインタを移動させ、指定したい位置においてユーザがクリック動作をすることにより図面画像中の任意の位置の指定を行う。
【００５０】
そして、制御部６２は、表示部６３に表示された図面画像の中から、指定された位置を含む文字列画像を抽出し（抽出手段）、抽出された文字列画像をＯＣＲ（Optical Character Recognition：光学文字認識）処理することによりテキスト情報に変換する（変換手段）。
【００５１】
そして、ＯＣＲ処理により変換されたテキスト情報は、属性情報や部品品番の情報として管理サーバ３１に送信され、部品情報データベース３２に登録されることになる。
【００５２】
なお、制御部６２は、図面画像中から抽出された文字列画像を複数の異なる変換方法、例えば数字優先、アルファベット有線（文字優先）等の複数の変換方法により変換して複数のテキスト情報に変換するようにしても良い。この場合、制御部６２は、複数のテキスト情報をユーザに表示させ、ユーザにより選択されたテキスト情報を最終的な変換結果として、属性情報および部品品番として管理サーバ３１に送信する。ここで、複数の変換方法に優先順位を設けておき、ユーザによって複数のテキスト情報の中から入力すべきテキスト情報が選択されない場合、予め設定された変換方法（例えば優先順位が最も高い変換方法）により変換されたテキスト情報を登録すべき属性情報および部品品番として管理サーバ３１に転送するようにしても良い。
【００５３】
なお、管理サーバ３１では、情報送受信部４１により、端末装置２１〜２３から送信されてきた属性情報等が部品情報として、部品情報データベース３２に登録される。
【００５４】
なお、制御部６２は、選択された部品分類に対して設定されている属性情報に対して、新たな属性項目を追加するような機能を備えるようにしても良い（追加手段）。この場合、管理サーバ３１では、選択された部品分類に対して設定されている属性情報に追加された属性項目を含めた部品情報を部品情報データベース３２に登録する。
【００５５】
次に、本実施形態の部品管理システム１０における具体的な動作を図面を参照して説明する。
【００５６】
先ず、図面データベース３３に格納されている図面データの一例を図６に示す。図６に示された図面データは、「ファンモータ」の図面例であり、部品の外形形状等ともに各種の特性情報等が画像情報として構成されている。
【００５７】
以下の説明では、この図６に示した図面データから部品情報を抽出して部品情報データベース３２に登録する際の動作を用いて説明する。ここでは、端末装置２１により部品情報の登録を行う場合を用いて説明する。
【００５８】
端末装置２１では、操作部６４の操作により部品情報の登録を行う図面が選択されると（図面選択部）、制御部６２は、選択された図面データを、管理サーバ３１を介して図面データベース３３から受け取り、画面上に表示する。
【００５９】
図６に示した部品図面に基づいて部品情報の登録を行う際に、端末装置２１の表示部６３に表示される画面例を図７に示す。
【００６０】
この図７に示した画面例では、部品情報の登録を行う部品の図面画像とともに属性情報の入力のための操作画面が表示されている。
【００６１】
そして、登録作業を行うユーザは、先ず、この操作画面上において、登録する部品の部品分類を選択する。この図７に示した例では、部品が「ファンモータ」であるため、ユーザはプルダウンメニューの中から部品分類として「モータ」を選択する場合が示されている。
【００６２】
このような部品分類の選択が行われることにより、属性情報を入力するための操作画面には、図８に示すように、選択された部品分類である「モータ」に対して予め設定されている属性項目が自動的に表示される。
【００６３】
具体的には、「部品番号」、「部品名」、「メーカー名」、「メーカー型番」、「速度検出方式」、「制御方式」、「定格電圧」、「定格回転数」、「定格負荷トルク」という属性項目が、「モータ」という部品分類を選択することにより表示されている。
【００６４】
なお、表示される属性項目は部品分類毎に設定されており、例えば、「モータ」という部品分類について図９（Ａ）に示すような属性項目が設定され、「ベアリング」という部品分類については図９（Ｂ）に示すような属性項目が設定されている。
【００６５】
このように、本実施形態では、各部品分類毎に入力すべき属性項目が予め設定されており、部品分類が選択されるだけで、各部品分類毎に設定された属性項目が表示され、属性値の入力が促されることになる。その結果、本実施形態の部品管理システムによれば、部品に対する知識が少ない者であっても、部品の種類に応じた登録すべき属性項目を把握して、部品情報の登録作業を行うことが可能となる。
【００６６】
そして、ユーザが各属性項目に対して部品図面に基づいて属性値を入力する際に、ユーザは図面画像中の入力しようとする文字列領域内の任意の場所をクリックすることにより位置指定を行う。すると、クリックされた位置を含む文字領域が認識され、この文字列領域内の文字列画像が選択される。そして、選択された文字列画像に対するＯＣＲ処理が行われてテキスト情報に変換されて、変換されたテキスト情報が入力欄７１内に表示される。
【００６７】
図１０に示す例では、部品番号の入力をしようとするユーザにより図面画像中の「１２３Ａ４８００５」という文字列が選択されて、入力欄７１には「１２３Ａ４８００５」という文字が表示されているのがわかる。
【００６８】
そして、図１０に示したような状態において、ユーザが属性値入力釦７２をクリックすると、図１１に示すように、入力欄７１の文字が「部品番号」の属性値として入力される。
【００６９】
なお、図１２を参照して、部品図面画像中の文字列が選択される様子を詳細に説明する。図１２に示す例では、ユーザが部品名に対する文字列を選択する場合が示されている。
【００７０】
図１２（Ａ）に示すように、ユーザが「ファンモータ」という文字列の一部をクリックすることにより、図１２（Ｂ）に示されるように、「ファンモータ」という文字列が選択され、この文字列を囲む領域の色が変化している。
【００７１】
そして、図１２（Ｃ）に示されるように、選択された「ファンモータ」という文字列はテキスト情報に変換されて、入力欄７１内に表示されることになる。
【００７２】
そして、ユーザは、図１３に示すように部品図面画像に対して移動、拡大、縮小等の操作を行って、部品図面画像から各属性項目に対して入力すべき文字列の選択、入力を繰り返す。
【００７３】
具体的には、制御部６２は、選択された部品分類に予め設定されている複数の属性項目のそれぞれに対応する属性情報の入力を、順に受け付け可能な状態とする（入力手段）。
【００７４】
そして、操作部６４により新しく登録を行う部品に関する図面画像中の位置が指定されると、制御部６２は、操作部６４により指定された位置を含む文字列画像を抽出してテキスト情報に変換する。
【００７５】
さらに、制御部６２は、変換したテキスト情報を、属性情報として入力し、その入力後に、入力した属性情報とは異なる他の属性情報の入力を受け付け可能な状態とする。
【００７６】
このような操作の結果、図１４に示すように全ての属性項目に対して属性値が入力されると、ユーザは、登録釦７３をクリックする。
【００７７】
すると、この属性項目に入力された属性値は、この部品の属性情報等として管理サーバ３１に送信されて、部品情報データベース３２に登録される。
【００７８】
なお、選択された文字列画像をテキスト情報に変換する際に、数字優先、アルファベット優先（文字優先）というような複数の変換方法を用いる場合、図１５に示すようにそれぞれの変換方法による変換結果を文字列の選択の際に表示させ、ユーザにより入力欄７１に入力すべきテキスト情報を選択されるようにしても良い。
【００７９】
なお、ユーザが特に選択を行わない場合には、予め設定しておいた変換方法、例えば数字優先による変換方法の変換結果が入力欄７１に入力されないようにすれば、ユーザが選択動作を行う手間を省くことができる。
【００８０】
また、文字列画像のテキスト情報への変換には誤変換が発生する場合もあるため、図１６に示すように、入力欄７１に入力されたテキスト情報をユーザが手入力操作により修正できるようになっている。
【００８１】
例えば、図１６（Ａ）では、入力欄７１に「１２３ＡＡＢ００５」という文字列が表示されているが、ユーザの操作により、図１６（Ｂ）に示されるように「１２３Ａ４８００５」という文字列に修正されているのが分かる。
【００８２】
また、部品分類に対して予め設定さている属性項目以外の属性項目を追加して部品情報を管理したい場合、図１７に示すように、表示された属性項目に対して、ユーザにより新たな属性項目を追加できるようにしても良い。このような属性項目の追加は、部品管理システムを制御するプログラムの修正を必要とすることなく実現することが可能である。
【００８３】
図１７に示す例では、部品分類「モータ」に対して、予め設定されていない「重量」という属性項目がユーザの操作により追加された場合が示されている。
【００８４】
そして、上記で説明した処理により図面画像から各種属性情報が取り込まれて部品情報が生成され、様々な部品の部品情報が部品情報データベース３２に登録される。
【００８５】
ここで、ユーザがある検索条件に合致する部品情報を得ようとする場合、ユーザが端末装置２１〜２３を介して管理サーバ３１に検索条件を指定する。すると、管理サーバ３１の部品検索部４２は、部品情報データベース３２に格納されている部品情報の中から、情報送受信部４１を介して端末装置２１〜２３から指定された検索条件に合致する部品情報を検索する。
そして、部品リスト出力部４３は、部品検索部４２により検索された部品情報のリストを、端末装置２１〜２３のうち検索を指示した端末装置に対して出力する。
【００８６】
例えば、ユーザが、部品分類が「ベアリング」、属性項目の「内径」が「１２ｍｍ」という検索条件を指定すると、部品検索部４２は、部品情報データベース３２の部品情報の中から、部品分類が「ベアリング」、属性項目の「内径」が「１２ｍｍ」という条件に合致する部品のリストを抽出する。そして、部品リスト出力部４３が、部品検索部４２により抽出された部品のリストを端末装置２１〜２３のうち検索を指示した端末装置に対して出力することにより、この端末装置の画面において抽出された部品リストを見ることができる。
【００８７】
[第２の実施形態]
次に、本発明の第２の実施形態の部品管理システムについて説明する。
【００８８】
本実施形態の部品管理システムは、図１に示した第１の実施形態の部品管理システム１０と基本的な構成は同様であるためその説明は省略する。
【００８９】
本発明の第２の実施形態の部品管理システムは、部品分類が、設計的視点による分類である機能分類と、調達・製造的視点による分類である工法・材料・形状分類の２つの分類の組み合わせにより２次元的に設定された複合部品分類であり、属性情報には、選択された複合部品分類に対して設定され各複合部品分類毎に異なる複数の属性情報と、複合部品分類に関係なくどの部品に対しても共通に設定されている共通属性情報が存在する点が、上記で説明した第１の実施形態の部品管理システムと異なる。
【００９０】
本実施形態における部品情報データベース３２は、設計的視点による分類である機能分類と、調達・製造的視点による分類である工法・材料・形状分類の２つの分類の組み合わせにより２次元的に設定された複数の複合部品分類毎に異なる属性情報、複合部品分類に関係なくどの部品に対しても共通に設定されている共通属性情報および部品品番を含む複数の部品情報を格納する。なお、この部品情報データベース３２の詳細については後述する。
【００９１】
部品の様々な属性情報が登録されている部品データベースは、社内の様々な部門により使用される。そのため、各部門毎に各部品に対して登録することを希望する属性情報が異なる。
【００９２】
例えば、開発設計部門では、部品を機能毎に分類して、必要な機能を達成するための部品が既に存在するか等の情報を得ることができる部品データベースを希望する。
【００９３】
これに対して、購買部等の調達部門、製造部門等は、部品の機能的な分類よりも、材料、加工法で分類した部品データベースを使用して、調達先の選定等を行うことができることを希望する。何故ならば、購買部等の調達部門では、板金部品であれば板金部品メーカーに発注し、樹脂部品であれば樹脂部品メーカーに発注するため、その部品がどのような機能を有するのかよりもどのような材料、加工法で作られるのかが必要になるからである。
【００９４】
そのため、開発設計部門で必要となる部品データベースと、調達部門、製造部門等で必要な部品データベースとでは要求される仕様が異なり、別々のデータベースを構築して運用する場合もあった。
【００９５】
しかし、部品単価を低減させて製品のコストを削減しようとした場合、開発設計部門の部品データベースと、調達部門、製造部門等の部品データベースが連携していないと、どの部品がどのような価格でどこから調達されているのかを開発設計部門では把握できないという課題が発生する。
【００９６】
そのため、開発設計部門と調達部門、製造部門等とで共通に使用することができ、かつ必要な情報を得ることが可能なデータベースを構築しようとすると、各部品に登録するための属性項目の数が多くなってしまうという問題がある。
【００９７】
また、既に部品品番が設定されている部品の中から希望する仕様の部品を選択する場合や、似たような仕様の部品を統合して部品単価を低減しようとする場合、部品品番毎にその部品の仕様が登録されていることが必要となる。
【００９８】
しかし、部品の種類毎にその部品の特性を表現する属性項目が異なる。例えば、モータ、ベアリングおよび樹脂部品では、その部品の特性を表現するための属性項目が全く異なる。そのため、各部品品番毎に必要な属性項目を登録できるようにした場合、部品品種が多くなると属性項目の数が膨大になってしまい現実的に使用することができなくなる。そのため、各部品の重量、寸法や発注先、材質程度の共通的な属性情報を登録することしかできないという制限があった。
【００９９】
また、膨大な数の図面から属性項目を引き出して紐付ける作業をするためには各部品を分類しておくようにすることが考えられる。なぜなら部品を分類すればその分類種毎に登録する属性項目をあらかじめ決めておく事ができるため、図面に記載されている属性項目のうちどの属性情報を選択して登録するかを容易に判断することができるからである。しかしこの「分類」は、設計部門では「機能分類」で、調達・製造部門では「材料加工分類」で、それぞれ行われてきたためお互いの部門で共通に利用できなかった。
【０１００】
このような事情により、調達部門、製造部門等と開発設計部門とで共通に使用することができ、各部品毎に必要な属性情報が登録可能な部品データベースを構築しようとしても、各部品毎に登録しなければならない属性項目の数が膨大になり現実的に使用可能な範囲を超えてしまい使い難い、または使うことができないものになってしまう。
【０１０１】
このような理由により、本実施形態では、開発設計部門と調達・製造部門（環境管理部門・品質部門・原価管理部門等）とで共通に使用することができ、かつ各部品毎に登録する必要がある属性項目の数を、全ての部品について同じ属性項目を設定する場合と比較して削減することが可能な部品管理システムを実現させることを目的としている。
【０１０２】
次に、本実施形態の部品管理システムを、図３を参照して説明する。なお、以下の説明では、上記で説明した第１の実施形態の部品管理システムとは異なる部分についてのみ説明を行う。
【０１０３】
本実施形態の情報送受信部４１は、設計的視点による分類である機能分類と、調達・製造的視点による分類である工法・材料・形状分類の２つの分類の組み合わせにより２次元的に設定された複数の複合部品分類の中から、新しく登録を行う部品に合致する複合部品分類の選択を受け付ける。
【０１０４】
そして、本実施形態における情報送受信部４１は、選択された複合部品分類に対して設定され各複合部品分類毎に異なる複数の属性情報、複合部品分類に関係なくどの部品に対しても共通に設定されている共通属性情報および部品品番を含む部品情報の入力を受け付ける。
【０１０５】
そして、部品情報データベース３２は、情報送受信部４１により受け付けられ、複合部品分類毎に異なる属性情報が設定された部品情報を格納する。
【０１０６】
より、詳細に説明すると、本実施形態の部品管理システム１０における部品情報データベース３２は、上記でも説明したように、設計的視点による分類である機能分類と、調達・製造的視点による分類である工法・材料・形状分類の２つの分類の組み合わせにより２次元的に設定された複数の複合部品分類毎に異なる属性情報、複合部品分類に関係なくどの部品に対しても共通に設定されている共通属性情報および部品品番を含む複数の部品情報を格納する。
【０１０７】
このように部品情報データベース３２に格納されている部品情報において、複合部品分類毎に異なる属性情報が設定されている理由を説明する。
【０１０８】
先ず、製品を開発設計して販売する一般的な企業における各部門間の連携の様子の概略を図１８に示す。
【０１０９】
いわゆるメーカーと呼ばれる企業における製品の企画、開発、設計、調達、製造、販売、保守等の各部門には、業務を実行する際の流れにより分類すると大きく分けて２つの軸が存在する。そのうちの１つは、企画、開発設計、生産準備、生産技術等の部門によるエンジニアリング軸であり、もう１つは、調達・購買、製造、出荷、販売、販売計画、生産計画、保守等の部門によるサプライチェーン軸である。
【０１１０】
そして、これらの各部門は、部品管理を行う際に部品を分類したい分類方法が異なっている。
【０１１１】
具体的には、企画、開発設計、生産準備、生産技術等のエンジニアリング軸の部門では、設計的視点による分類である機能分類により部品を管理する必要がある。また、調達・購買、製造、出荷、販売、販売計画、生産計画、保守等の部門のサプライチェーン軸の部門では、調達・製造的視点による分類である工法・材料・形状分類により部品を管理する必要がある。
【０１１２】
そのため、本実施形態の部品管理システム１０では、部品情報は、設計的視点による分類である機能分類と、調達・製造的視点による分類である工法・材料・形状分類の２つの分類の組み合わせにより２次元的なマトリクス状に設定された複数の複合部品分類毎に異なる属性情報が設定できるようになっている。
【０１１３】
次に、この複合部品分類の具体例を図１９を参照して説明する。
【０１１４】
図１９に示した具体例では、設計的視点（開発・設計部門的視点）による分類である機能分類として、ベアリング、ギヤ・歯車、カバー・シュート、フレームという分類が示されている。また、図１９に示した具体例では、調達製造的視点（調達部門・製造部門的視点）による分類である工法・材料・形状分類として、金属切削・研削部品、板金・プレス部品、粉末冶金部品、樹脂射出成型部品、樹脂ブロー成型部品という分類が示されている。
【０１１５】
そして、複合部品分類として、上記の機能分類、工法・材料・形状分類の２つの分類を２次元的（２軸的）に組み合わせて、ボールベアリング、切削フレーム、プレスギヤ、板金カバー、板金フレーム等の分類が示されている。
【０１１６】
例えば、「ボールベアリング」という複合部品分類は、「ベアリング」という機能分類と、「金属切削・研削部品」という工法・材料・形状分類の２つの分類の両方に含まれる部品分類である。
【０１１７】
そして、本実施形態の部品管理システム１０では、このような「ボールベアリング」、「切削フレーム」、「プレスギヤ」等の複合部品分類毎に、異なる属性項目が登録可能になっている。
【０１１８】
そのため、新規の部品の部品情報を部品情報データベース３２に登録しようとする場合、部品の登録をしようとするユーザ（使用者）は、この複数の複合部品分類の中から１つの複合部品分類を選択する。
【０１１９】
例えば、「成型カバー」という複合部品分類が選択された場合、部品情報を登録するための登録フレーム枠として図２０に示すような登録フレーム枠が表示される。
【０１２０】
この図２０に示される登録フレーム枠では、選択された複合部品分類が「成型カバー」であるため、機能分類として「カバー」、工法・材料・形状分類として「樹脂（射出成型）」という分類名が既に登録済みとなっている。
【０１２１】
そして、この図２０に示された「成型カバー」という複合部品分類の登録フレーム枠では、属性項目として「最大板厚」、「投影面積」、「成形圧力」、「成形型締め力」という項目が設定されている。
【０１２２】
そのため、ユーザは、図２１に示すように、この登録フレーム枠に対して、部品品番、部品名、メーカー情報、重量、ＸＹＺ（縦、横、高さ）寸法、最大板厚、投影面積、成形圧力、成形型締め力等の属性情報を順次入力して、部品情報として登録することができる。
【０１２３】
また、図１９に示した複合部品分類において「板金カバー」が選択された場合に表示される登録フレーム枠の一例を図２２に示す。
【０１２４】
この図２２に示した例では、選択された複合部品分類が「板金カバー」であるため、機能分類として「カバー」、工法・材料・形状分類として「板金・プレス」という分類名が既に登録済みとなっている。
【０１２５】
そして、この図２２に示された「板金カバー」という複合部品分類の登録フレーム枠では、属性項目として「板厚」、「展開寸法」、「プレストン数」、「型種類（単／順送）」、「ステージ数」、「穴数」という項目が設定されている。
【０１２６】
また、図１９に示した複合部品分類において「プレスギヤ」が選択された場合に表示される登録フレーム枠の一例を図２３に示す。
【０１２７】
この図２３に示した例では、選択された複合部品分類が「プレスギヤ」であるため、機能分類として「ギヤ」、工法・材料・形状分類として「板金・プレス」という分類名が既に登録済みとなっている。
【０１２８】
そして、この図２３に示された「プレスギヤ」という複合部品分類の登録フレーム枠では、属性項目として「段数」、「歯数」、「外形φ」、「内径φ」、「歯幅」、「歯形誤差」という項目が設定されている。
【０１２９】
そして、このように複合部品分類毎に異なる属性情報が登録された部品情報の一例を図２４に示す。
【０１３０】
図２４を参照すると分かるように、機能分類が同じでも工法・材料・形状分類が異なれば違う属性項目が設定される場合もあり、また、工法・材料・形状分類が同じでも機能分類が異なれば違う属性項目が設定される場合もある。
【０１３１】
例えば、機能分類が「カバー」であっても、工法・材料・形状分類が「樹脂（射出成型）」であるか「板金・プレス」であるかにより部品情報の属性項目が異なっている（図２０、図２２参照）。また、例えば、工法・材料・形状分類が「板金・プレス」であっても、機能分類が「カバー」であるか「ギヤ」であるかにより部品情報の属性項目が異なっている（図２２、図２３参照）。
【０１３２】
なお、「ソレノイド」、「ファンモータ」、「その企業に特殊な機能部材」等のように工法・材料・形状分類が存在しない又は分類できない部品については、機能分類毎に異なる属性情報が登録可能になっている。
【０１３３】
例えば、シャフトを持った３層ロールの場合は紙送りロールとして登録し、シャフト、ゴムの属性情報を登録する。これは「紙送りロール」が金属シャフトとゴムロールという組合せと製作方法が１０年〜２０年という時間的スパンで安定的に固定されている事が明瞭であるからである。
【０１３４】
また、金属シャフトに成形樹脂ロールを組み合わせて使用するような場合はそれぞれ独立した末端部品として登録する。
【０１３５】
さらに、金属シャフトに成形樹脂ロールを一体成形する場合等、特殊な場合は材料分類を複数持たせることで対応させることも可能である。
【０１３６】
例えば、金属シャフト周囲にＥＰＤＭゴム（エチレン・プロピレン・ジエン・ゴム）を接着固定しその表層にウレタン樹脂を積層したような材料では、このロールが帯電ロールといった従来から認知されている特定の機能部材であれば複合分類のカテゴリではなくその機能名称で一つの分類として登録する。そして、機能が認知されておらず特定できないような部品であれば、ゴムロールといった複合分類にあてはめ、属性としてシャフト材料、積層する２種の有機材料を登録する方法も可能である。工法・材料・形状分類で単にゴムではなく、単層ゴムと積層ゴムなどに分類しておけば、積層ゴムロールなどの分類に登録できる。これらの場合どの分類方法でも、分類につく属性は材料種が複数になる分多くはなるが、単にロールなどといった一般的機能分類の属性数に比べればはるかに低減することができ、必要な属性情報を図面などから抽出する困難さは大幅に軽減される。
【０１３７】
本実施形態の部品管理システム１０では、管理しようとする数多くの部品を、設計的視点による分類である機能分類と、調達・製造的視点による分類である工法・材料・形状分類の２つの分類の組み合わせにより２次元的に設定された複合部品分類により分類している。そのため、開発設計部門と調達・製造部門（環境管理部門・品質部門・原価管理部門等）の両方の部門において共通して本実施形態の部品管理システム１０を使用することができ、全社的に統一した部品管理を行うことが可能となる。
【０１３８】
また、本実施形態の部品管理システム１０では、この複合部品分類毎に異なる部品情報を各部品に登録することができるようにしているため、部品毎に登録することが必要な属性項目の数を現実的に利用可能な数に抑えつつ、各部品の様々な仕様等を部品情報に登録することが可能となる。
【０１３９】
さらに、従来設計部門として必要であった分類により作成され設計部門で活用されてきた部品構成表の分類と、調達や製造部門毎にそれぞれの部門用に分類し構築・活用してきた部品構成表の分類を、複合分類によって少ない修正で結合することが可能であるため、部門毎に構築してきた部品構成表という部門資産を全社資産として継続して有効活用できるというメリットもある。
【０１４０】
例えば、複合部品分類毎に異なる属性項目を設定せずに、単に属性項目を増やした場合の比較例を図２５に示す。
【０１４１】
この図２５に示した比較例では、部品の種類に関係なく登録可能な属性項目を増やした場合が示されている。そして、この図２５に示した例では、その部品に必要が無い属性項目まで設定されていることによりこの部品についてはどの属性項目を利用して属性情報を登録すれば良いのかが分かり難く利用者が利用し難いものとなっているのが分かる。
【０１４２】
具体的には、図２５に示した例では、部品として「樹脂のカバー」を登録する際の例が示されていて、属性項目として「最大板厚」、「投影面積」、「成形圧力」、「成形型締め力」という項目に属性情報を登録する場合の例が示されているが、利用者はどの属性項目に属性情報を登録すべきなのかが分かり難いものとなっている。
【０１４３】
これに対して、本実施形態の部品管理システム１０は、複合部品分類として、「成型カバー」という分類を選択するだけで、図２０に示すような登録フレーム枠が用意されることにより、利用者は、どの属性項目に属性情報を登録すべきなのかを容易に把握することができる。
【０１４４】
そして、本実施形態の部品管理システム１０によれば、各部門間が単独で部品管理をすることなく全部門で共通した部品管理ができるようになり、全社的に統一した部品データベースを構築することが可能となる。そのため、本実施形態の部品管理システム１０を利用することにより、製品のコスト削減を効果的に推進して、総原価低減に貢献することができる。
【０１４５】
具体的には、本実施形態の部品管理システム１０を利用することにより、１つの部品に複数の部品番号が設定されるような一部品多部品品番の発生を防止することにより適正な部品価格の実現が可能となる。
【０１４６】
また、本実施形態の部品管理システム１０によれば、部品の仕様と単価の比較が容易になることにより、通常より価格設定が高い部品を見つけることが可能となり、適正な部品価格の実現が容易になる。
【０１４７】
また、本実施形態の部品管理システム１０によれば、仕様が近い部品を容易に把握することができるようになり、部品の標準化を図って部品種類を削減したり、類似属性の部品比較を行ってコスト的に有利な部品選択を行うことができるようになる。
【０１４８】
さらに、本実施形態の部品管理システム１０を用いることにより、どのような部品をどのような仕入れ先からどれだけ購入しているのかを知ることが可能になり、購買実績、調達状況の把握が容易に把握可能になる。
【０１４９】
なお、本実施形態では説明していないが、部品部面の図面データを管理する図面管理システムと本実施形態の部品管理システム１０とを連携させるようにすることも可能である。このように、図面管理システムと部品管理システム１０とを連携させることにより、図面データから属性情報を直接入力可能としたり、検索した部品の図面データを利用者が容易に閲覧できるようになる。
【符号の説明】
【０１５０】
１０    部品管理システム
１１    ＣＰＵ
１２    メモリ
１３    記憶装置
１４    ユーザインタフェース（ＵＩ）装置
１５    通信インタフェース（ＩＦ）
１６    制御バス
２１〜２３    端末装置
３０    ネットワーク
３１    管理サーバ
３２    部品情報データベース
３３    図面データベース
４１    情報送受信部
４２    部品検索部
４３    部品リスト出力部
５１    ＣＰＵ
５２    メモリ
５３    記憶装置
５４    ユーザインタフェース（ＵＩ）装置
５５    通信インタフェース（ＩＦ）
５６    制御バス
６１    通信部
６２    制御部
６３    表示部
６４    操作部
７１    入力欄
７２    属性値入力釦
７３    登録釦
【図１】
0006579487.tif 000002
【図２】
0006579487.tif 000003
【図３】
0006579487.tif 000004
【図４】
0006579487.tif 000005
【図５】
0006579487.tif 000006
【図６】
0006579487.tif 000007
【図７】
0006579487.tif 000008
【図８】
0006579487.tif 000009
【図９】
0006579487.tif 000010
【図１０】
0006579487.tif 000011
【図１１】
0006579487.tif 000012
【図１２】
0006579487.tif 000013
【図１３】
0006579487.tif 000014
【図１４】
0006579487.tif 000015
【図１５】
0006579487.tif 000016
【図１６】
0006579487.tif 000017
【図１７】
0006579487.tif 000018
【図１８】
0006579487.tif 000019
【図１９】
0006579487.tif 000020
【図２０】
0006579487.tif 000021
【図２１】
0006579487.tif 000022
【図２２】
0006579487.tif 000023
【図２３】
0006579487.tif 000024
【図２４】
0006579487.tif 000025
【図２５】
0006579487.tif 000026